(57)【要約】【課題】番組内容を判断した後に放送記録装置に録画予約することができる通信装置及び放送記録装置を提供する。【解決手段】番組予約情報を有する動画コンテンツを外部から取得する通信部と、動画コンテンツをデコードするデコーダ部と、デコードした動画コンテンツを表示する表示部と、操作信号に応じて、動画コンテンツをデコーダ部によりデコードして再生し表示部に表示した後に、動画コンテンツに応じた番組予約情報を外部に出力するべく制御する制御部とをもつ通信装置。【選択図】図１
2007124317.tif 000002
【特許請求の範囲】
【請求項１】
番組予約情報を有する動画コンテンツを外部から取得する通信部と、
前記動画コンテンツをデコードするデコーダ部と、
前記デコードした動画コンテンツを表示する表示部と、
操作信号に応じて、前記動画コンテンツを前記デコーダ部によりデコードして再生し前記表示部に表示した後に、前記動画コンテンツに応じた前記番組予約情報を外部に出力するべく制御する制御部と、を具備することを特徴とする通信装置。
【請求項２】
前記番組予約情報に応じて外部の記録再生装置に録画予約を行なわせる旨のメールを、前記記録再生装置に送信するメール処理部を更に具備することを特徴とする請求項１記載の通信装置。
【請求項３】
前記動画コンテンツ及び前記番組予約情報を記録媒体に格納するＩ／Ｆ部を更に具備することを特徴とする請求項１記載の通信装置。
【請求項４】
番組予約情報を有する動画コンテンツ、又は、前記番組予約情報を外部から取得する取得部と、
前記動画コンテンツをデコードするデコーダ部と、
放送信号を受信し復調して再生信号を出力するチューナ部と、
所定の時間とチャンネル情報とに基づき録画予約処理を行い、この録画予約情報に基づく予約録画処理を行なう予約録画部と、
前記取得部からの前記動画コンテンツを前記デコーダ部にてデコードして前記番組予約情報を取得後に、前記動画コンテンツに応じた番組予約情報、又は、前記取得部による前記番組情報に応じて前記予約録画部が録画予約処理を行ない、録画予約情報に基づいて前記チューナ部を用いて予約録画処理を行なうべく制御する制御部と、
を具備することを特徴とする放送記録装置。
【請求項５】
前記取得部は、前記動画コンテンツと前記番組予約情報とを添付したメールを送受信するメール処理部であることを特徴とする請求項４記載の放送記録装置。
【請求項６】
前記制御部は、前記番組予約情報に応じて前記予約録画部が録画予約処理を行なった結果、既に前記番組予約情報が示す時間及びチャンネルを使用する録画予約がなされている場合、重複予約であることを知らせる旨のメールを外部へ送付することを特徴とする請求項５記載の放送記録装置。
【請求項７】
前記取得部は、前記動画コンテンツと前記番組予約情報とを格納する着脱可能な記録媒体のインタフェース部であることを特徴とする請求項４記載の放送記録装置。
【請求項８】
通信装置においては、番組予約情報を有する動画コンテンツを外部から取得し、
前記動画コンテンツを前記デコーダ部によりデコードして再生し前記表示部に表示した後に、前記動画コンテンツに応じた前記番組予約情報を外部に出力し、
放送記録装置においては、前記通信装置から前記番組予約情報を取得し、
前記動画コンテンツに応じた前記番組予約情報に応じて前記予約録画部が録画予約処理を行ない、録画予約情報に基づいてチューナ部を用いて予約録画処理を行なうことを特徴とする予約方法。
【請求項９】
前記通信装置から前記放送記録装置の間の前記番組予約情報は、メールを用いて行なわれることを特徴とする請求項８記載の予約方法。
【請求項１０】
前記通信装置から前記放送記録装置の間の前記番組予約情報は、前記通信装置及び前記放送記録装置に着脱可能に装填することができる記録媒体を用いて行なわれることを特徴とする請求項８記載の予約方法。
【発明の詳細な説明】
【技術分野】
【０００１】
この発明は、携帯電話等の通信装置とハードディスクレコーダ等の放送記録装置との間で行なわれる録画予約に関し、特に動画コンテンツを伴う録画予約を行なう通信装置、放送記録装置及び予約方法に関する。
【背景技術】
【０００２】
最近、電子化された番組情報を利用する多くのシステムが開発され普及してきている。このようなシステムの一つとして、特許文献１においては、携帯電話から所定のサーバにアクセスして所望の録画予約情報を記録した後、録画を希望すればこれをサーバからＶＴＲ等に送信し、ＶＴＲ等では送られた番組を予約録画することができる。
【特許文献１】特開２００３−１７９９０７公報。
【発明の開示】
【発明が解決しようとする課題】
【０００３】
しかし、特許文献１では、携帯電話を操作するユーザは、番組の概要を知ることができないため、番組について十分な吟味をした後に予約するかどうかの判断を行うことができないという問題がある。
【０００４】
本発明は、番組内容を判断した後に放送記録装置に録画予約することができる通信装置及び放送記録装置を提供することを目的とする。
【課題を解決するための手段】
【０００５】
本発明の一実施形態に係る通信装置は、番組予約情報を有する動画コンテンツを外部から取得する通信部と、前記動画コンテンツをデコードするデコーダ部と、前記デコードした動画コンテンツを表示する表示部と、操作信号に応じて、前記動画コンテンツを前記デコーダ部によりデコードして再生し前記表示部に表示した後に、前記動画コンテンツに応じた前記番組予約情報を外部に出力するべく制御する制御部とを具備することを特徴とする通信装置である。
【発明の効果】
【０００６】
本発明に係る通信装置は、放送内容を吟味した上で録画したい番組について通信で放送記録装置に対して録画予約処理を行なうことができる。
【発明を実施するための最良の形態】
【０００７】
以下、本発明の一実施形態に係る通信装置、放送記録装置の構成の一例について、以下に図面を参照して詳細に説明する。
【０００８】
＜本発明の一実施形態に係る放送システム＞
図１は、本発明の一実施形態に係る放送事業者とモバイル端末と記録再生装置とをもつ情報システムにおける動画コンテンツと予約情報との処理動作の一例を示す説明図である。この図１において、放送事業者Ｂは、例えばインターネット上に設けられた放送事業者のウェブサイトの番組紹介ページＰを有しており、このページＰには、例えば、各種番組情報やモバイル端末向けに提供される番組宣伝やダイジェスト映像などの番組予約情報Ｙを有する動画コンテンツＣがアクセス可能に公開されている。番組宣伝やダイジェスト映像の動画コンテンツを提供する放送事業者Ｂは、モバイル端末向けの動画コンテンツを作成するときに、元となる動画ファイル以外に番組予約情報を用意し、モバイル端末向けにエンコード処理を実施して動画コンテンツを作成する。動画コンテンツのエンコード時のフォーマットとしては、ＭＰ４形式、３ＧＰ形式、３ＧＰＰ形式などがあるが、この実施形態ではＭＰ４形式を例にとって説明する。又、動画コンテンツに組み込む番組予約情報には、チャンネル情報、録画日時、番組タイトルなどが格納されており、番組予約情報自体はＭＰ４のｕｕｉｄ  Ｂｏｘを拡張して動画コンテンツに保存する。
【０００９】
このような例えばインターネット上の放送事業者のウェブサイトの番組紹介ページＰにアクセス可能な、携帯電話等のモバイル端末Ｍは、上記の番組予約情報Ｙを有する動画コンテンツＣを本体内にダウンロードすることができ、これらの動画コンテンツＣや番組予約情報Ｙ等は、例えば、メールに添付して、メール受信可能なハードディスクレコーダ等の放送記録装置Ｈに送信されるものである。又、モバイル端末Ｍにおいては、メールの代わりに着脱可能な外部メモリｍを用いることも好適である。
【００１０】
一方、放送記録装置Ｈにおいては、送信された番組予約情報Ｙに基づいて新たな録画予約処理が行なわれる。ここで、放送記録装置Ｈは、少なくとも、メール処理部１４と予約録画部４２とを有しており、外部メモリｍのためのＩ／Ｆ部１５も有している。
【００１１】
＜本発明の一実施形態に係る放送記録装置＞
次に、上記した放送記録装置Ｈの構造及び動作等を図面を用いて詳細に説明する。図２は、本発明の一実施形態に係る記録再生装置の構成の一例を示すブロック図である。
【００１２】
（構成）
初めに、図２は、本発明の一実施形態に係る放送記録装置の構成の一例を示すブロック図である。図２の放送記録装置Ｈは、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１３】
又、図２の放送記録装置Ｈは、録画側を構成するエンコーダ部２１と、再生側を構成するＭＰＥＧデコーダ部２３と、装置本体の動作を制御する制御部３０とを主たる構成要素としている。放送記録装置Ｈは、入力側のセレクタ１６と出力側のセレクタ１７とを有しており、入力側のセレクタ１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、メール処理部１４が通信部１１に接続されて設けられデータバスに接続されている。又、データバスには、着脱可能な記録媒体である外部メモリｍが接続される外部メモリＩ／Ｆ部１５を有している。又、放送記録装置Ｈは、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。更に、放送記録装置Ｈは、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、予約録画部・延長処理部４２、予約リストや番組表画像を生成する番組表生成部４３、を有している。これらの各部は、データバスを介して制御部３０に接続されている。更に、セレクタ部１７の出力は、外部の受像機４１に接続されるか、外部装置との通信を行うインタフェース部２７を介して、外部装置に供給される。
【００１４】
更に、放送記録装置Ｈは、データバスを介して制御部３０に接続され、ユーザの操作やリモコンＲの操作を受ける操作部３２を有している。ここで、リモコンＲは、放送記録装置Ｈの本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１５】
（動作）
・基本動作
このような構成の放送記録装置Ｈにおいて、光ディスクＤに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１６】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１７】
・記録処理等
次に、このような構成を有する放送記録装置Ｈの動作を、更に詳細に説明する。初めに、主に記録時の動作について、他の実施形態も含めて詳細に説明する。放送記録装置Ｈの入力側として、ＬＡＮ等の通信部１１は、外部機器と接続して、例えばモデム１０等を介しインターネット等の通信路を経由して、モバイル端末Ｍの基地局Ｓや放送事業者Ｂのサイトと通信を行ったり、動画コンテンツ等をダウンロードしたりする。又、ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。
【００１８】
又、先の通信部１１は、ＩＥＥＥ１３９４インタフェースであってもよく、ネットワーク上の外部機器からデジタルコンテンツを受けることが可能である。
【００１９】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００２０】
又、ＢＳ／ＣＳチューナ１２等は、必ずしも内蔵されている必要はなく、データ入力端子を介して外付けされて、受信したデジタル信号をセレクタ部１６を介してエンコーダ部２１や制御部３０に供給することも好適である。
【００２１】
ここで図２の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００２２】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュ、ハイライトボタン、字幕やその他の副映像を重ねて出力するビデオプロセッサを備えている。
【００２３】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２４】
・予約録画処理
次に、通信部１１等から取得した電子番組情報に基づいて、図２の録画予約一覧や図２２の番組表を用いて、ユーザのリモコンＲ等の操作により特定した番組に応じて、録画予約処理が可能である。予約された予約録画情報に基づいて、制御部３０及び予約録画部４２の働きにより、予約時刻になると、ＢＳ／ＣＳチューナ部１２又は地上波チューナ部１３が受信した番組情報が復調された映像音声信号が、エンコーダ２１等のエンコード処理を経て、例えば、ハードディスクドライブ１８に記録（予約録画）される。
【００２５】
なお、この際の予約録画処理について、電子番組情報を用いた番組の延長処理等が可能であり、番組の延長や放送時間のシフト等に自動的に対応することができ、これらを後に詳述する。
【００２６】
この実施形態の放送記録装置Ｈは、このように総合的な機能を有するものであり、多くのソースに対して光ディスクＤ又はハードディスクドライブ部１８による記録・再生処理を行うものである。
【００２７】
次に、この放送記録装置Ｈの予約処理の補助する移動型通信装置の一例を図面を参照して以下に詳細に説明する。
【００２８】
＜本発明の一実施形態である移動型通信装置＞
本発明の一実施形態である情報再生システムを構成する移動型通信装置を図面を用いて説明する。移動型通信装置Ｍは、通信部２００と、アンテナ２０１と、デュプレクサ２０２と、ＲＦ受信利得可変増幅器２０３と、ＲＦ帯域制限フィルタ２０４と、周波数変換器２０５と、ＩＦ帯域制限フィルタ２０６と、ＩＦ受信利得可変増幅器２０７と、変調・復調部２０８と、ＩＦ送信利得可変増幅器２１１と、周波数変換器２１２と、ＲＦ帯域制限フィルタ２１３と、ＲＦ送信利得可変増幅器２１４と、電力増幅器２１５と、アイソレータ２１６と、ボコーダ２２３と、スピーカ２２４とを有している。
【００２９】
又、更に、移動型通信装置Ｍは、全体の動作を制御すると共に動画コンテンツ制御機能、番組予約制御機能等を有する制御部２３１と、赤外線通信やブルートゥース等の通信機能、又、外部メモリｍ等との接続機能等を有するＩ／Ｆ部２３２と、複数のスイッチ等を有している操作部２３３と、操作情報や写真画像等を表示する表示部２３４と、動画コンテンツや番組予約情報等を記憶する記憶部２３５と、ＭＰＥＧデコーダ・音声映像処理部２３６と、メール処理部２３７とが制御部２３１に接続されている。又、ＭＰＥＧデコーダ・音声映像処理部２３６の出力は、それぞれ表示部２３４とスピーカ２２４とに接続されている。
【００３０】
又、変調・復調部２０８は、例えば直交復調部２８１と、Ａ／Ｄ変換部２８２と、情報信号復調部２８３と、復号化部２９２とからなり、更に、ボコーダ２２３からの信号を暗号化する暗号化部２８９と、情報信号変調部２８４と、Ｄ／Ａ変換部２８５と、直交変調部２８６とにより構成される。この構成において、直交復調部２８１で直交復調された信号はＡ／Ｄ変換部２８２でＡ／Ｄ変換され、信号復調部２８３で情報信号復調されて、復号化部２９２により復号されて出力される。
【００３１】
この移動型通信装置Ｍはこのような構成において、受信処理について説明すると、基地局から送信されるフォワードリンク信号はアンテナ２０１で受信、デュプレクサ２０２で受信機側回路へ供給され、ＲＦ受信利得可変増幅器２０３で増幅あるいは減衰され、ＲＦ帯域制限フィルタ２０４で不要成分をフィルタリングされ、周波数変換器２０５でＲＦ帯からＩＦ帯へ周波数変換され、ＩＦ帯域制限フィルタ２０６で不要成分をフィルタリングされ、ＩＦ受信利得可変増幅器２０７で増幅あるいは減衰され、変調・復調部２０８へ入力する。
【００３２】
変調・復調部２０８は、例えば直交復調部２８１と、Ａ／Ｄ変換部２８２と、情報信号復調部２８３と、情報信号変調部２８４と、Ｄ／Ａ変換部２８５と、直交変調部２８６で構成される。
【００３３】
ここで、暗号化部２８９と復号化部２９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部２９２との鍵情報が共通であればよい。
【００３４】
この構成を有する移動型通信装置Ｍの受信処理について以下に説明すると、表示部２３４の操作情報の表示に応じて、ユーザの操作部２３３から与えられる操作情報に応じ、制御部２３１の動作制御に従って、以下のような動作が行われる。すなわち、直交復調部２８１で直交復調された信号は、Ａ／Ｄ変換部２８２でＡ／Ｄ変換され信号復調部２８３で情報信号復調され、更に復号化部２９２で復号されて音声としてスピーカ２２４に出力される。
【００３５】
又、更にこの移動型通信装置Ｍの送信処理について以下に説明すると、同様に、表示部２３４の操作情報の表示に応じて、ユーザの操作部２３３から与えられる操作情報に応じ、制御部２３１の動作制御に従って、以下のような動作が行われる。すなわち、移動局から送信されるリバースリンク信号はボコーダ２２３により与えられ、これを暗号化部２８９にて暗号化する。この暗号化された暗号化信号は、情報信号変調部２８４で変調されて出力されＤ／Ａ変換部２８５でＤ／Ａ変換、直交変調部２８６で直交変調され、ＩＦ送信利得可変増幅器２１１で増幅あるいは減衰され、周波数変換器２１２でＩＦ帯からＲＦ帯へ周波数変換され、ＲＦ帯域制限フィルタ２１３で不要成分をフィルタリングして、ＲＦ送信利得可変増幅器２１４で増幅あるいは減衰され、電力増幅器２１５で増幅され、アイソレータ２１６を介してデュプレクサ２０２でアンテナ２０１ヘ供給され、空間へ送信されるものである。
【００３６】
又、このような送受信処理を応用することで、基地局Ｂを経由してインターネットに接続することが可能となり、ＵＲＬを指定して所望のサーバＳ等に対して情報の送受信を行ったり、ｅメール等を利用することが可能である。
【００３７】
＜本発明の一実施形態である移動型通信装置と放送記録装置とによる予約処理＞
次に、本発明の一実施形態である移動型通信装置と放送記録装置とを連携した予約処理を、フローチャートを用いて以下に詳細に説明する。図４は、本発明の一実施形態に係るモバイル端末における番組予約情報Ｙをメール送付する処理動作の一例を示すフローチャート、図５は、同様にモバイル端末における番組予約情報Ｙを有する動画コンテンツを記録媒体を利用して送付する処理動作の一例を示すフローチャート、図６は、同様に記録再生装置におけるメールを利用した番組予約情報の処理動作の一例を示すフローチャート、図７は、同様に記録再生装置における記録媒体を利用した番組予約情報の処理動作の一例を示すフローチャート、図８は、同様に記録再生装置における赤外線通信を利用した番組予約情報の処理動作の一例を示すフローチャート、図９は、同様にモバイル端末における予約操作（メール送付）等の画面の一例を示す図、図１０は、同様にモバイル端末における予約操作等の画面の一例を示す図である。
【００３８】
（メールによる予約指示：図４）
初めに、移動型通信装置Ｍにおいて、放送記録装置Ｈへの予約処理の一例を図４のフローチャートを用いて説明する。初めに、図２に示す放送事業者Ｂのウェブサイトの番組紹介ページＰから、番組予約情報Ｙ付のコンテンツを、例えば、制御部２３１と通信部２００とにより記憶部２３５にダウンロードする（ステップＳ１１）。次に、ユーザ等の操作部２３３等の例えば図９のアイコンｄ２の操作に応じて、制御部２３１の制御下においてＭＰＥＧデコーダ・音声映像処理部２３６の動作により、ダウンロードした動画コンテンツを再生して表示部２３４等に表示する（ステップＳ１２）。
【００３９】
その後、ユーザがこの動画コンテンツの内容を気に入った場合、例えばハードディスクレコーダ等の放送記録装置Ｈにおいて、本格的に予約録画しようと考える。そのため、例えば図９のメニュ上のアイコンｄ３による予約指示の操作を行なう（ステップＳ１３）。これにより、制御部２３１及びメール処理部２３７は、記憶部２３５に格納されている番組予約情報Ｙを分離して、ユニーク情報（番組毎のユニーク情報等）をもつメールを生成する（ステップＳ１４）。ここで、メールは、予約情報を有する動画コンテンツであってもよく、又、番組予約情報Ｙだけであっても構わない。
【００４０】
このとき、記録再生装置Ｈのメールアドレスがあるかどうかを判断し（ステップＳ１５）、なければユーザがマニュアルでメールアドレスを入力することも好適である（ステップＳ１６）。そして、制御部２３１及びメール処理部２３７は、ユニーク情報をもつメールを予約情報を添付して記録再生装置に送付する（ステップＳ１７）。
【００４１】
その後、制御部２３１及びメール処理部２３７は、記録再生装置Ｈからメールが送られてきたかどうかを確認し（ステップＳ１８）、メールがあれば、そのメールが予約の重複を示しているかどうかを判断する（ステップＳ１９）。メールが予約の重複を示していれば、ユーザは、自分が設定した予約を優先して、先に記録再生装置Ｈにされていた番組予約をキャンセルするかどうかを判断する（ステップＳ２０）。ユーザが自分の予約を優先しない旨の操作をすれば、制御部２３１及びメール処理部２３７は、ユニーク情報もつメールを生成して、予約を破棄すべきを指示する（ステップＳ２１）。又、ユーザが自分の予約を優先する旨の操作をすれば、制御部２３１及びメール処理部２３７は、ユニーク情報もつメールを生成して、予約を優先すべきを指示する（ステップＳ２２）。
【００４２】
このような操作により、ユーザは、その番組の動画コンテンツを携帯電話等の通信装置Ｍの表示部２３４で内容を確認した上で、ハードディスクレコーダ等の放送記録装置Ｈに録画予約指示をメール等で行なうことが可能となる。従って、ユーザは、内容を十分吟味した上で放送の予約処理が可能となるものである。
【００４３】
（外部メモリによる予約指示：図５）
次に、携帯電話等の通信装置Ｍにおいて、着脱可能な外部メモリｍにより、予約指示を行なう場合を図５のフローチャートを用いて説明する。初めに、通信装置Ｍにおいて、制御部２３１及びメール処理部２３７により、ウェブサイトの番組紹介ページから番組予約情報付のコンテンツを例えば記憶部２３５へダウンロードする（ステップＳ３１）。次にユーザ等の例えば図１０の操作画面ｄ４のアイコンｄ５を操作することで、制御部２３１の制御下におけるＭＰＥＧデコーダ・音声映像処理部２３６の動作により、ダウンロードした動画コンテンツを再生する（ステップＳ３２）。その後、ユーザがこの動画コンテンツの内容を吟味した結果、例えば操作画面ｄ４のアイコンｄ６を操作することにより、メニュ上でコンテンツ（予約情報含）の外部メモリへの保存指示があれば（ステップＳ３３）、外部メモリがＩ／Ｆ部２３２に装着されているかどうかを判断する（ステップＳ３４）。
【００４４】
外部メモリｍがＩ／Ｆ部２３２装着されていなければ、制御部２３１の動作により、装着を促す表示を行う（ステップＳ３５）。外部メモリｍがＩ／Ｆ部２３２に装着されていれば、この外部メモリｍに動画コンテンツ（予約情報Ｙ含）を格納する（ステップＳ３６）。
【００４５】
このような操作により、メールだけではなくて、着脱可能な外部メモリｍを用いて、動画コンテンツと予約情報とを通信装置Ｍから放送通信装置Ｈへと移動して、後述するようにこれにより録画予約処理を行うことができる。
【００４６】
（放送記録装置でのメール操作：図６）
次に、放送記録装置Ｈにおいて、予約メールを通信装置Ｍから受けた場合の動作を図４のフローチャートを用いて逐一説明する。
【００４７】
初めに放送記録装置Ｈにおいて、制御部３０及びメール処理部１４が、例えばモバイル端末Ｍ等からメールが届いたことを検出すると（ステップＳ４１）、このメールから予約情報を抽出する（ステップＳ４２）。そして、抽出された予約情報に基づいて、制御部３０及び予約録画部４２は、既にある予約スケジュールへ新たな録画予約を行なう（ステップＳ４３）。このとき、予約録画部４２が予約情報を重複するかどうかを判断する（ステップＳ４４）。メール処理部２３７が、予約情報は重複しないと判断すれば、ユニーク情報（番組毎のユニーク情報等）をもつ予約完了メールを生成して、携帯電話等の通信装置Ｍに送信する（ステップＳ４５）。
【００４８】
又、メール処理部２３７が、予約情報は重複すると判断すれば、ユニーク情報（番組毎のユニーク情報等）をもつ予約重複の確認メールを生成して、携帯電話等の通信装置Ｍに送信する（ステップＳ４６）。その後、携帯電話等の通信装置Ｍからの返答メールを待機し（ステップＳ４７）、所定時間以上が経過すればタイムアウトと判断して、予約録画部４２において予約を破棄する（ステップＳ５１）。
【００４９】
所定時間以下に携帯電話等の通信装置Ｍからの返答メールがあれば、返答メールは予約を優先せよと指示しているかどうかを判断し（ステップＳ４９）、優先を指示していれば、予約録画部４２においてユーザの予約を優先するべく予約登録を変更する（ステップＳ５０）。予約の破棄を指示していれば、予約録画部４２において、ユーザからの予約情報の破棄を行なうものである（ステップＳ５１）。これにより、放送記録装置Ｈでは、通信装置Ｍからのメールにより、録画予約処理を行なうことができるものである。
【００５０】
（放送記録装置での外部メモリ操作：図７）
次に、放送記録装置Ｈにおいて、外部メモリｍによって、予約処理を行なう場合を図７のフローチャートを用いて説明する。初めに、制御部３０及び外部メモリＩ／Ｆ部１５によって、記録媒体ｍが挿入されたかどうかが判断される（ステップＳ６１）。記録媒体ｍの挿入を検知すると、制御部３０の処理により、記録媒体ｍから番組予約情報Ｙを取り出す（ステップＳ６２）。そして、制御部３０及び予約録画部４２は、取り出した番組予約情報Ｙに応じて録画予約を行う（ステップＳ６３）。このとき、予約録画部４２は、既存の予約スケジュールと取り出した番組予約情報Ｙとの重複を検出すれば（ステップＳ６４）、予約が重複したことを受像機４１等の画面に画面表示する（ステップＳ６５）。その後、ユーザによるリモコンＲ等や操作部３２から優先指示があれば（ステップＳ６６）、取り出した番組予約情報Ｙを優先的に、予約スケジュールに予約登録するものである（ステップＳ６７）。
【００５１】
これにより、放送記録装置Ｈでは、通信装置Ｍからのメールだけではなく、着脱可能な外部メモリｍによっても、録画予約処理を行なうことができるものである。
【００５２】
（放送記録装置での赤外線通信による操作：図８）
次に、放送記録装置Ｈにおいて、モバイル端末Ｍが有する赤外線通信（ブルートゥース等の場合も同等）等の無線通信によって、予約処理を行なう場合を図８のフローチャートを用いて説明する。初めに、制御部３０及びＩ／Ｆ部１５によって、赤外線信号が検出されたかどうかが判断される（ステップＳ７１）。モバイル端末等からの赤外線信号等を検知すると、制御部３０の処理により、赤外線信号からから番組予約情報Ｙを取り出す（ステップＳ７２）。そして、制御部３０及び予約録画部４２は、取り出した番組予約情報Ｙに応じて録画予約を行う（ステップＳ７３）。このとき、予約録画部４２は、既存の予約スケジュールと取り出した番組予約情報Ｙとの重複を検出すれば（ステップＳ７４）、予約が重複したことを受像機４１等の画面に画面表示し同時にモバイル端末Ｍ等へ赤外線信号で知らせる（ステップＳ７５）。その後、モバイル端末Ｍ等により赤外線通信で優先指示があれば（ステップＳ７６）、取り出した番組予約情報Ｙを優先的に、予約スケジュールに予約登録するものである（ステップＳ７７）。
【００５３】
これにより、放送記録装置Ｈでは、通信装置Ｍからのメールだけではなく、赤外線通信（ブルートゥース等の場合も同等）等の無線通信によっても、モバイル端末向けに提供される番組宣伝やダイジェスト映像などの動画コンテンツと共に番組予約情報Ｙを用いて容易に録画予約処理を行なうことができるものである。なお、番組予約情報を受け渡しは、番組予約情報を有する動画コンテンツを渡す方法、又は、動画コンテンツにある番組予約情報のみを取り出して渡す方法の両方が可能である。又、番組予約情報は、独自のフォーマットでチャンネル番号、録画日時、番組情報などを格納してもよいし、ＥＰＧやＧコードなどの情報を使用してもよい。
【００５４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５５】
【図１】本発明の一実施形態に係る放送事業者とモバイル端末と記録再生装置とをもつ情報システムにおける動画コンテンツと予約情報との処理動作の一例を示す説明図。
【図２】本発明の一実施形態に係る記録再生装置の構成の一例を示すブロック図。
【図３】本発明の一実施形態に係るモバイル端末の構成の一例を示すブロック図。
【図４】本発明の一実施形態に係るモバイル端末における動画コンテンツと予約情報とをメール送付する処理動作の一例を示すフローチャート。
【図５】本発明の一実施形態に係るモバイル端末における動画コンテンツと予約情報とをメール送付する処理動作の一例を示すフローチャート。
【図６】本発明の一実施形態に係る記録再生装置におけるメールを利用した予約情報の処理動作の一例を示すフローチャート。
【図７】本発明の一実施形態に係る記録再生装置における記録媒体を利用した予約情報の処理動作の一例を示すフローチャート。
【図８】本発明の一実施形態に係る記録再生装置における赤外線通信を利用した予約情報の処理動作の一例を示すフローチャート。
【図９】本発明の一実施形態に係るモバイル端末における予約操作（メール送付）等の画面の一例を示す図。
【図１０】本発明の一実施形態に係るモバイル端末における予約操作等の画面の一例を示す図。
【符号の説明】
【００５６】
１１…通信部、１２…ＢＳ／ＣＳチューナ部、１３…地上波チューナ部、１４…メール処理部、１５…外部メモリＩ／Ｆ部、１８…ハードディスクドライブ部、１９…光ディスクドライブ部、２０…データ編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４３…番組表生成部。
【図１】
2007124317.tif 000003
【図２】
2007124317.tif 000004
【図３】
2007124317.tif 000005
【図４】
2007124317.tif 000006
【図５】
2007124317.tif 000007
【図６】
2007124317.tif 000008
【図７】
2007124317.tif 000009
【図８】
2007124317.tif 000010
【図９】
2007124317.tif 000011
【図１０】
2007124317.tif 000012